(57)【要約】【課題】音声品質の劣化を抑制しつつ、通信チャネル数を増加するコードレス電話機、ベースユニット、および中継器を提供する。【解決手段】ベースユニットを介して通話先の電話機と通話を行うコードレス電話機は、無線通信を制御する制御データおよび電話機に送信する音声データを多値変調し、制御データの多値変調制御信号および音声データの多値変調音声信号をＤＥＣＴ方式のハーフスロットに収容する制御部と、ハーフスロットをベースユニットに無線送信する無線部と、を備え、制御部は、多値変調制御信号をハーフスロットのＡ−ｆｉｅｌｄの一部に収容し、多値変調音声信号をハーフスロットのＢ−ｆｉｅｌｄに収容するとともにＡ−ｆｉｅｌｄの残りの部分に収容する。【選択図】図９
2019216359.tif 000002
【特許請求の範囲】
【請求項１】
ベースユニットを介して通話先の電話機と通話を行うコードレス電話機であって、
無線通信を制御する制御データおよび前記電話機に送信する音声データを２値変調し、前記制御データの変調制御信号および前記音声データの変調音声信号をＤＥＣＴ（Digital Enhanced Cordless Telecommunications）方式のハーフスロットに収容する制御部と、
前記ハーフスロットを前記ベースユニットに無線送信する無線部と、
を有するコードレス電話機。
【請求項２】
ベースユニットを介して通話先の電話機と通話を行うコードレス電話機であって、
無線通信を制御する制御データおよび前記電話機に送信する音声データを多値変調し、前記制御データの変調制御信号および前記音声データの変調音声信号をＤＥＣＴ方式のハーフスロットに収容する制御部と、
前記ハーフスロットを前記ベースユニットに無線送信する無線部と、
を有するコードレス電話機。
【請求項３】
前記制御部は、前記制御データおよび前記音声データをＱＰＳＫ（Quadrature Phase Shift Keying）変調する、
請求項２に記載のコードレス電話機。
【請求項４】
前記制御部は、前記音声データをＡＤＰＣＭ（Adaptive Differential Pulse code Modulation）符号化方式よりも高圧縮の符号化方式により符号化する、
請求項１から３のいずれか一項に記載のコードレス電話機。
【請求項５】
前記制御部は、前記音声データをＣＥＬＴ（Constrained Energy Lapped Transform）符号化方式により符号化する、
請求項１から３のいずれか一項に記載のコードレス電話機。
【請求項６】
前記制御部は、前記変調制御信号を前記ハーフスロットのＡ−ｆｉｅｌｄの一部に収容し、前記変調音声信号を前記ハーフスロットのＢ−ｆｉｅｌｄに収容するとともに前記Ａ−ｆｉｅｌｄの残りの部分に収容する、
請求項２または３に記載のコードレス電話機。
【請求項７】
前記制御部は、前記音声データをＡＤＰＣＭ符号化方式よりも高圧縮の符号化方式により符号化する、
請求項６に記載のコードレス電話機。
【請求項８】
前記制御部は、前記音声データをＣＥＬＴ符号化方式により符号化する、
請求項６に記載のコードレス電話機。
【請求項９】
前記制御部は、前記音声データを第１の音声品質で前記電話機に送信する場合、前記音声データを第１のサンプリングレートでサンプリングし、第１のコンプレクシティの設定で、第１の圧縮率で符号化を行い、
前記音声データを前記第１の音声品質より高い第２の音声品質で前記電話機に送信する場合、前記音声データを前記第１のサンプリングレートより高い第２のサンプリングレートでサンプリングし、前記第１のコンプレクシティより大きい第２のコンプレクシティの設定で、前記第１の圧縮率より高い第２の圧縮率で符号化を行う、
請求項５または８に記載のコードレス電話機。
【請求項１０】
前記無線部は、前記ベースユニットでＡＤＰＣＭ符号化方式よりも高圧縮の符号化方式により符号化されて変調され、前記ハーフスロットに収容された前記電話機の通話先音声データを、前記ベースユニットから受信し、
前記制御部は、前記ハーフスロットに収容された前記通話先音声データの先頭を含む連続した一部のデータまたは前記データの１以上の一部に対しエラーを検出する、
請求項１または２に記載のコードレス電話機。
【請求項１１】
前記制御部は、前記音声データをＣＥＬＴ符号化方式により符号化する、
請求項１０に記載のコードレス電話機。
【請求項１２】
前記制御部は、前記通話先音声データのエラーを検出した場合、前記通話先音声データに対しＰＬＣ（Packet Loss Concealment）処理を行い、前記通話先音声データのエラーを所定回数連続して検出した場合、前記通話先音声データに対しミュート処理を行う、
請求項１０または１１に記載のコードレス電話機。
【請求項１３】
コードレス電話機と無線通信を行うベースユニットであって、
無線通信を制御する制御データおよび前記コードレス電話機に送信する音声データを２値変調し、前記制御データの変調制御信号および前記音声データの変調音声信号をＤＥＣＴ方式のハーフスロットに収容する制御部と、
前記ハーフスロットを前記コードレス電話機に無線送信する無線部と、
を有するベースユニット。
【請求項１４】
コードレス電話機と無線通信を行うベースユニットであって、
無線通信を制御する制御データおよび前記コードレス電話機に送信する音声データを多値変調し、前記制御データの変調制御信号および前記音声データの変調音声信号をＤＥＣＴ方式のハーフスロットに収容する制御部と、
前記ハーフスロットを前記コードレス電話機に無線送信する無線部と、
を有するベースユニット。
【請求項１５】
前記制御部は、前記制御データおよび前記音声データをＱＰＳＫ変調する、
請求項１４に記載のベースユニット。
【請求項１６】
前記制御部は、前記音声データをＡＤＰＣＭ符号化方式よりも高圧縮の符号化方式により符号化する、
請求項１３から１５のいずれか一項に記載のベースユニット。
【請求項１７】
前記制御部は、前記音声データをＣＥＬＴ符号化方式により符号化する、
請求項１３から１５のいずれか一項に記載のベースユニット。
【請求項１８】
前記制御部は、前記変調制御信号を前記ハーフスロットのＡ−ｆｉｅｌｄの一部に収容し、前記変調音声信号を前記ハーフスロットのＢ−ｆｉｅｌｄに収容するとともに前記Ａ−ｆｉｅｌｄの残りの部分に収容する、
請求項１４または１５に記載のベースユニット。
【請求項１９】
前記制御部は、前記音声データをＡＤＰＣＭ符号化方式よりも高圧縮の符号化方式により符号化する、
請求項１８に記載のベースユニット。
【請求項２０】
前記制御部は、前記音声データをＣＥＬＴ符号化方式により符号化する、
請求項１８に記載のベースユニット。
【請求項２１】
前記制御部は、前記音声データを第１の音声品質で前記電話機に送信する場合、前記音声データを第１のサンプリングレートでサンプリングし、第１のコンプレクシティの設定で、第１の圧縮率で符号化を行い、
前記音声データを前記第１の音声品質より高い第２の音声品質で前記電話機に送信する場合、前記音声データを前記第１のサンプリングレートより高い第２のサンプリングレートでサンプリングし、前記第１のコンプレクシティより大きい第２のコンプレクシティの設定で、前記第１の圧縮率より高い第２の圧縮率で符号化を行う、
請求項１７または２０に記載のベースユニット。
【請求項２２】
前記無線部は、前記コードレス電話機でＡＤＰＣＭ符号化方式よりも高圧縮の符号化方式により符号化されて変調され、前記ハーフスロットに収容された前記コードレス電話機の通話元音声データを、前記コードレス電話機から受信し、
前記制御部は、前記ハーフスロットに収容された前記通話元音声データの先頭を含む連続した一部のデータまたは前記データの１以上の一部に対しエラーを検出する、
請求項１３または１４に記載のベースユニット。
【請求項２３】
前記制御部は、前記音声データをＣＥＬＴ符号化方式により符号化する、
請求項２２に記載のベースユニット。
【請求項２４】
前記制御部は、前記通話元音声データのエラーを検出した場合、前記通話元音声データに対しＰＬＣ処理を行い、前記通話元音声データのエラーを所定回数連続して検出した場合、前記通話元音声データに対しミュート処理を行う、
請求項２２または請求項２３に記載のベースユニット。
【請求項２５】
ＤＥＣＴ方式のハーフスロットを用いてコードレス電話機とベースユニットとの間の無線通信を中継する中継器であって、
前記コードレス電話機から受信したアップリンクのハーフスロットに収容されている制御データおよび音声データを、アップリンクの別のハーフスロットに複製し、前記ベースユニットから受信したダウンリンクのハーフスロットに収容されている制御データおよび音声データを、ダウンリンクの別のハーフスロットに複製する制御部と、
前記アップリンクの別のハーフスロットを前記ベースユニットに無線送信し、前記ダウンリンクの別のハーフスロットを前記コードレス電話機に無線送信する無線部と、
を有する中継器。
【請求項２６】
前記制御部は、
前記コードレス電話機の制御データを前記アップリンクの別のハーフスロットのＡ−ｆｉｅｌｄの一部に収容し、前記コードレス電話機の音声データを前記アップリンクの別のハーフスロットのＢ−ｆｉｅｌｄに収容するとともに前記Ａ−ｆｉｅｌｄの残りの部分に収容し、
前記ベースユニットの制御データを前記ダウンリンクの別のハーフスロットのＡ−ｆｉｅｌｄの一部に収容し、前記ベースユニットの音声データを前記ダウンリンクの別のハーフスロットのＢ−ｆｉｅｌｄに収容するとともに前記Ａ−ｆｉｅｌｄの残りの部分に収容する、
請求項２５に記載の中継器。
【発明の詳細な説明】
【技術分野】
【０００１】
本開示は、コードレス電話機、ベースユニット、および中継器に関する。
【背景技術】
【０００２】
デジタルコードレス電話機の通信方式として、ＤＥＣＴ（Digital Enhanced Cordless Telecommunications）方式がある。特許文献１には、ＤＥＣＴ方式を用いたコードレス電話機が開示されている。特許文献１のコードレス電話機は、通話の品質の劣化が使用者に認識される前に、チャネルを自動的に切り替えることにより、通話の品質を劣化させないようにしている。
【先行技術文献】
【特許文献】
【０００３】
【特許文献１】特開２０１７−０１７４６２号公報
【発明の概要】
【発明が解決しようとする課題】
【０００４】
ＤＥＣＴ方式のダウンリンクおよびアップリンクのそれぞれにおける通信チャネル数は、狭帯域音声通話の場合１２チャネルであり、広帯域音声通話の場合６チャネルである。市場からは、通信チャネル数を増加することが要望されている。
【０００５】
本開示の非限定的な実施例は、通信チャネル数を増加できるコードレス電話機、ベースユニット、および中継器の提供に資する。
【課題を解決するための手段】
【０００６】
本開示の一態様に係るコードレス電話機は、ベースユニットを介して通話先の電話機と通話を行うコードレス電話機であって、無線通信を制御する制御データおよび前記電話機に送信する音声データを２値変調し、前記制御データの変調制御信号および前記音声データの変調音声信号をＤＥＣＴ方式のハーフスロットに収容する制御部と、前記ハーフスロットを前記ベースユニットに無線送信する無線部と、を有する。
【０００７】
本開示の一態様に係るコードレス電話機は、ベースユニットを介して通話先の電話機と通話を行うコードレス電話機であって、無線通信を制御する制御データおよび前記電話機に送信する音声データを多値変調し、前記制御データの変調制御信号および前記音声データの変調音声信号をＤＥＣＴ方式のハーフスロットに収容する制御部と、前記ハーフスロットを前記ベースユニットに無線送信する無線部と、を有する。
【０００８】
本開示の一態様に係るベースユニットは、コードレス電話機と無線通信を行うベースユニットであって、無線通信を制御する制御データおよび前記コードレス電話機に送信する音声データを２値変調し、前記制御データの変調制御信号および前記音声データの変調音声信号をＤＥＣＴ方式のハーフスロットに収容する制御部と、前記ハーフスロットを前記コードレス電話機に無線送信する無線部と、を有する。
【０００９】
本開示の一態様に係るベースユニットは、コードレス電話機と無線通信を行うベースユニットであって、無線通信を制御する制御データおよび前記コードレス電話機に送信する音声データを多値変調し、前記制御データの変調制御信号および前記音声データの変調音声信号をＤＥＣＴ方式のハーフスロットに収容する制御部と、前記ハーフスロットを前記コードレス電話機に無線送信する無線部と、を有する。
【００１０】
本開示の一態様に係る中継器は、ＤＥＣＴ方式のハーフスロットを用いてコードレス電話機とベースユニットとの間の無線通信を中継する中継器であって、前記コードレス電話機から受信したアップリンクのハーフスロットに収容されている制御データおよび音声データを、アップリンクの別のハーフスロットに複製し、前記ベースユニットから受信したダウンリンクのハーフスロットに収容されている制御データおよび音声データを、ダウンリンクの別のハーフスロットに複製する制御部と、前記アップリンクの別のハーフスロットを前記ベースユニットに無線送信し、前記ダウンリンクの別のハーフスロットを前記コードレス電話機に無線送信する無線部と、を有する。
【００１１】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１２】
本開示の一態様によれば、通信チャネル数を増加できる。
【００１３】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１４】
【図１】本開示の実施の形態１に係るコードレス電話システムの構成例を示した図
【図２Ａ】現行のＤＥＣＴ方式による、コードレス電話システムの最大同時通話数を説明する図
【図２Ｂ】本開示のコードレス電話システムの最大同時通話数を説明する図
【図３】コードレス電話機のブロック構成例を示した図
【図４】コードレス電話機の制御部のブロック構成例を示した図
【図５】ベースユニットのブロック構成例を示した図
【図６】ベースユニットの制御部のブロック構成例を示した図
【図７】ＤＥＣＴ方式のフレーム構成を示した図
【図８】ＤＥＣＴ方式のスロット構成を示した図
【図９】ＤＥＣＴ方式に準拠した本開示のコードレス電話システムのスロット構成を説明する図
【図１０】狭帯域音声通話における通信チャネル数の増加を説明する図
【図１１】広帯域音声通話における通信チャネル数の増加を説明する図
【図１２】現行のＤＥＣＴ方式におけるエラー検出を説明する図
【図１３】本開示のコードレス電話システムにおけるエラー検出を説明する図
【図１４】コードレス電話機の音声処理の一例を示したフローチャート
【図１５】コードレス電話機の音声処理の他の例を示したフローチャート
【図１６】本開示の実施の形態２に係るコードレス電話システムの構成例
【図１７】中継器のブロック構成例を示した図
【図１８】中継器の制御部のブロック構成例を示した図
【図１９】狭帯域音声通話における通信チャネル数の増加を説明する図
【図２０】広帯域音声通話における通信チャネル数の増加を説明する図
【発明を実施するための形態】
【００１５】
以下、図面を適宜参照して、本発明の実施の形態について、詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１６】
なお、添付図面および以下の説明は、当業者が本開示を十分に理解するために、提供されるのであって、これらにより特許請求の範囲に記載の主題を限定することは意図されていない。
【００１７】
（実施の形態１）
図１は、本開示の実施の形態１に係るコードレス電話システムの構成例を示した図である。図１に示すように、コードレス電話システムは、コードレス電話機１と、ベースユニット２と、を有している。コードレス電話システムは、例えば、オフィスや住宅などに設置される。
【００１８】
コードレス電話機１およびベースユニット２は、ＤＥＣＴ方式に準拠したＴＤＭＡ（Time Division Multiple Access）方式の無線通信を行う。コードレス電話機１およびベースユニット２は、例えば、１．８ＧＨｚ帯の電波または１．９ＧＨｚ帯の電波を用いて、無線通信を行う。
【００１９】
ベースユニット２は、Ｅｔｈｅｒｎｅｔ（登録商標）またはＰＳＴＮ（Public Switched Telephone Network）を介して、交換機またはサーバ（図示せず）に接続されている。コードレス電話機１は、ベースユニット２を介して、他の電話機と通話できる。
【００２０】
図１には、１台のコードレス電話機１しか示していないが、複数存在してもよい。複数のコードレス電話機１は、同時通話が可能である。例えば、図１に示すコードレス電話システムは、以下で詳述するが、狭帯域音声通話の場合および広帯域音声通話の場合ともに、最大で２４台の同時通話が可能である。言い換えれば、図１に示すコードレス電話システムの通信チャネル数は、狭帯域音声通話の場合および広帯域音声通話の場合ともに、２４チャネルである。
【００２１】
なお、コードレス電話機１は、例えば、ハンドセットと呼ばれてもよい。また、ベースユニット２は、例えば、基地局と呼ばれてもよい。広帯域音声通話は、ワイドバンド通話と呼ばれてもよい。狭帯域音声通話は、ナローバンド通話と呼ばれてもよい。
【００２２】
図２Ａは、現行のＤＥＣＴ方式による、コードレス電話システムの最大同時通話数を説明する図である。図２Ｂは、本開示のコードレス電話システムの最大同時通話数を説明する図である。
【００２３】
図２Ａに示すように、現行のＤＥＣＴ方式では、１台のベースユニットにおけるコードレス電話機の最大同時通話数は、狭帯域音声通話の場合１２台である。広帯域音声通話の場合６台である。
【００２４】
これに対し、図１のコードレス電話システムでは、図２Ｂに示すように、１台のベースユニットにおける最大同時通話数は、狭帯域音声通話の場合および広帯域音声通話の場合ともに２４台である。図１のコードレス電話システムは、音声品質の劣化を抑制しつつ、狭帯域音声通話における最大同時通話数および広帯域音声通話における最大同時通話数を増加させる。
【００２５】
図３は、コードレス電話機１のブロック構成例を示した図である。図３に示すように、コードレス電話機１は、制御部１１と、無線部１２と、オーディオ部１３と、スピーカ１４と、マイク１５と、を有している。
【００２６】
制御部１１は、コードレス電話機１全体を制御する。また、制御部１１は、ベースバンド処理を行う。制御部１１は、例えば、ＣＰＵ（Central Processing Unit）およびＤＳＰ（Digital Signal Processor）のいずれか一方または両方で構成されてもよい。制御部１１は、メインプロセッサ・ベースバンド部と呼ばれてもよい。
【００２７】
無線部１２には、制御部１１から出力されるＵＬ（UpLink）信号（ベースユニット２に送信する信号）が入力される。無線部１２は、入力されたＵＬ信号に対して、増幅およびアップコンバート等の送信処理を行う。無線部１２は、送信処理したＵＬ信号を、アンテナを介して、ベースユニット２に送信する。
【００２８】
無線部１２は、アンテナを介して、ＤＬ（DownLink）信号（ベースユニット２から送信された信号）を受信する。無線部１２は、受信したＤＬ信号に対して、増幅およびダウンコンバート等の受信処理を行う。無線部１２は、受信処理したＤＬ信号を、制御部１１に出力する。
【００２９】
オーディオ部１３は、制御部１１から出力されるデジタル音声データ（ＤＬ信号）を、アナログ音声信号に変換し、スピーカ１４へ出力する。また、オーディオ部１３は、マイク１５から出力されるアナログ音声信号（ＵＬ信号）を、デジタル音声データに変換して、制御部１１へ出力する。
【００３０】
図４は、コードレス電話機１の制御部１１のブロック構成例を示した図である。図４に示すように、コードレス電話機１の制御部１１は、コーデック部２１と、変調部２２と、生成部２３と、復調部２４と、誤り検出部２５と、記憶部２６と、を有している。
【００３１】
コーデック部２１は、ベースユニット２に送信する音声データ（ＵＬ信号）を符号化（圧縮）する。例えば、コーデック部２１は、ベースユニット２に送信する音声データを、音声コーデックのＣＥＬＴ（Constrained Energy Lapped Transform）によって符号化する。コーデック部２１は、符号化した音声データを変調部２２に出力する。
【００３２】
また、コーデック部２１は、復調部２４で復調された音声データ（ＤＬ信号）を復号化（伸張）する。例えば、コーデック部２１は、復調部２４で復調された音声データを、ＣＥＬＴによって復号化する。コーデック部２１は、復号した音声データをオーディオ部１３に出力する。
【００３３】
変調部２２は、コーデック部２１によって符号化された音声データを多値変調する。また、変調部２２は、その他のデータ（例えば、制御データ、ＣＲＣデータ等）を多値変調する。例えば、変調部２２は、コーデック部２１によって符号化された音声データをＱＰＳＫ変調する。また、変調部２２は、その他のデータをＱＰＳＫ（Quadrature Phase Shift Keying）変調する。
【００３４】
生成部２３は、変調部２２で変調されたデータを収容したハーフスロット（ハーフスロットについては以下で説明する）を生成する。生成部２３は、生成したハーフスロットを無線部１２に出力する。
【００３５】
復調部２４は、無線部１２から出力される、ベースユニット２から送信された信号（ＤＬ信号）を復調する。例えば、復調部２４は、無線部１２から出力される信号を、ＱＰＳＫ復調する。復調された信号（データ）に含まれる音声データは、コーデック部２１に出力され、復号化される。
【００３６】
誤り検出部２５は、復調部２４で復調されたデータの誤りを検出する。例えば、誤り検出部２５は、復調部２４で復調されたデータの誤りを、ＣＲＣ（Cyclic Redundancy Check）により検出する。
【００３７】
記憶部２６には、例えば、制御部１１が動作するためのプログラムが記憶される。また、記憶部２６には、制御部１１が計算処理を行うためのデータまたはコードレス電話機１の各部を制御するためのデータが記憶される。記憶部２６は、制御部１１の外にあってもよい。
【００３８】
図５は、ベースユニット２のブロック構成例を示した図である。図５に示すように、ベースユニット２は、制御部３１と、無線部３２と、インタフェース部３３と、を有している。
【００３９】
制御部３１は、ベースユニット２全体を制御する。また、制御部３１は、ベースバンド処理を行う。制御部３１は、例えば、ＣＰＵおよびＤＳＰのいずれか一方または両方で構成されてもよい。制御部３１は、メインプロセッサ・ベースバンド部と呼ばれてもよい。
【００４０】
無線部３２は、アンテナを介して、ＵＬ信号（コードレス電話機１から送信された信号）を受信する。無線部３２は、受信したＵＬ信号に対して、増幅およびダウンコンバート等の処理を行う。無線部３２は、増幅およびダウンコンバート等の処理を行ったＵＬ信号を制御部３１に出力する。
【００４１】
無線部３２には、制御部３１から出力されるＤＬ信号（コードレス電話機１に送信する信号）が入力される。無線部３２は、入力されたＤＬ信号に対して、増幅およびアップコンバート等の処理を行う。無線部３２は、増幅およびアップコンバート等の処理を行ったＤＬ信号を、アンテナを介して、コードレス電話機１に送信する。
【００４２】
インタフェース部３３は、交換機またはサーバとの間の通信制御を行う。例えば、インタフェース部３３は、制御部３１から出力されるデータ（コードレス電話機１から送信された信号）を交換機またはサーバに送信する。また、インタフェース部３３は、交換機またはサーバから送信されたデータ（コードレス電話機１に送信する信号）を受信し、制御部３１に出力する。
【００４３】
図６は、ベースユニット２の制御部３１のブロック構成例を示した図である。図６に示すように、ベースユニット２の制御部３１は、コーデック部４１と、変調部４２と、生成部４３と、復調部４４と、誤り検出部４５と、記憶部４６と、を有している。
【００４４】
コーデック部４１は、インタフェース部３３から出力される音声データ（ＤＬ信号）を符号化（圧縮）する。例えば、コーデック部４１は、インタフェース部３３から出力される音声データを、音声コーデックのＣＥＬＴによって符号化する。
【００４５】
また、コーデック部４１は、復調部４４で復調された音声データ（ＵＬ信号）を復号化（伸張）する。例えば、コーデック部４１は、復調部４４で復調された音声データを、ＣＥＬＴによって復号化する。コーデック部４１は、復号した音声データをインタフェース部３３に出力する。
【００４６】
変調部４２は、コーデック部４１によって符号化された音声データを多値変調する。また、変調部４２は、その他のデータ（例えば、制御データ、ＣＲＣデータ等）を多値変調する。例えば、変調部４２は、コーデック部４１によって符号化された音声データをＱＰＳＫ変調する。また、変調部４２は、その他のデータをＱＰＳＫ変調する。
【００４７】
生成部４３は、変調部４２で変調されたデータを収容したハーフスロットを生成する。生成部４３は、生成したハーフスロットを無線部３２に出力する。
【００４８】
復調部４４は、無線部３２から出力される、コードレス電話機１から送信された信号（ＵＬ信号）を復調する。例えば、復調部４４は、無線部３２から出力される信号を、ＱＰＳＫ復調する。復調された信号（データ）に含まれる音声データは、コーデック部４１に出力され、復号化される。
【００４９】
誤り検出部４５は、復調部４４で復調されたデータの誤りを検出する。例えば、誤り検出部４５は、復調部４４で復調されたデータの誤りを、ＣＲＣにより検出する。
【００５０】
記憶部４６には、例えば、制御部３１が動作するためのプログラムが記憶される。また、記憶部４６には、制御部３１が計算処理を行うためのデータまたはコードレス電話機１の各部を制御するためのデータが記憶される。記憶部４６は、制御部３１の外にあってもよい。
【００５１】
図７は、ＤＥＣＴ方式のフレーム構成を示した図である。ＤＥＣＴ方式では、１０ｍｓのフレームで無線通信が行われる。１０ｍｓのフレームは、５ｍｓのダウンリンクのフレームと、５ｍｓのアップリンクのフレームとに分けられている。図７には、ダウンリンクのフレームの例が示してある。
【００５２】
ＤＥＣＴ方式では、フルスロット（Full Slot）のフレームと、ロングスロット（Long Slot）のフレームと、ハーフスロット（Half Slot）のフレームとの３種類のフレームが規定されている。フルスロットのフレームは、図７の矢印Ａ１に示すように、１２個のスロットから構成される。ロングスロットのフレームは、矢印Ａ２に示すように、６個のスロットから構成される。
【００５３】
ハーフスロットのフレームは、矢印Ａ３に示すように、１２個のスロットから構成され、１つのスロットは、さらにＬ＝０とＬ＝１との２つのスロットに分割される。従って、ハーフスロットのフレームは、２４個のスロットから構成される。
【００５４】
上記したように、フルスロットのフレームは、１２スロットで構成される。従って、フルスロットの通信チャネル数は１２であり、最大同時通話台数は１２台となる。ロングスロットのフレームは、６スロットで構成される。従って、ロングスロットの通信チャネル数は６であり、最大同時通話台数は６台となる。
【００５５】
ハーフスロットのフレームは、２４スロットで構成される。従って、ハーフスロットの通信チャネル数は２４であり、最大同時通話台数は２４台となる。なお、以下で説明するが、ハーフスロットのフレームは、音声品質の劣化が激しいため、現状では使用されていない。
【００５６】
図７には、ダウンリンクのフレームを示したが、アップリンクのフレームも同様の構成を有している。
【００５７】
図８は、ＤＥＣＴ方式のスロット構成を示した図である。図８の矢印Ａ１２に示すように、フルスロットは、Ｓ−Ｆｉｅｌｄと、Ａ−Ｆｉｅｌｄと、Ｂ−Ｆｉｅｌｄと、Ｘ−Ｆｉｅｌｄと、Ｚ−Ｆｉｅｌｄと、ＧＡＰと、を有している。
【００５８】
Ｓ−Ｆｉｅｌｄには、スロットおよびフレームの同期を取るための情報が格納される。Ａ−Ｆｉｅｌｄには、無線通信を制御するための制御データが格納される。制御データは、例えば、呼び出し要求や通話開始等のメッセージ等が含まれている。Ｂ−Ｆｉｅｌｄには、音声データが格納される。Ｘ−ＦｉｅｌｄおよびＺ−Ｆｉｅｌｄには、例えば、ＣＲＣ（Cyclic Redundancy Check）等の誤り検出を行うための情報が格納される。ＧＡＰは、無線部が無線周波数（無線チャネル）を切り替えるために設けられた区間である。
【００５９】
図８の矢印Ａ１３に示すように、ハーフスロットもフルスロットと同様に、Ｓ−Ｆｉｅｌｄと、Ａ−Ｆｉｅｌｄと、Ｂ−Ｆｉｅｌｄと、Ｘ−Ｆｉｅｌｄと、Ｚ−Ｆｉｅｌｄと、ＧＡＰと、を有している。ハーフスロットは、Ｂ−Ｆｉｅｌｄの長さが、フルスロットのＢ−Ｆｉｅｌｄより短くなっている。ハーフスロットの全長は、フルスロットの全長の半分となっている（図７の矢印Ａ３に示すハーフスロットも参照）。
【００６０】
図８の矢印Ａ１１に示すように、ロングスロットもフルスロットと同様に、Ｓ−Ｆｉｅｌｄと、Ａ−Ｆｉｅｌｄと、Ｂ−Ｆｉｅｌｄと、Ｘ−Ｆｉｅｌｄと、Ｚ−Ｆｉｅｌｄと、ＧＡＰと、を有している。ロングスロットは、Ｂ−Ｆｉｅｌｄの長さが、フルスロットのＢ−Ｆｉｅｌｄより長くなっている。ロングスロットの全長は、フルスロットの全長の２倍となっている（図７の矢印Ａ２に示すロングスロットも参照）。
【００６１】
ＤＥＣＴ方式では、３２ｋｂｐｓの音声コーデック（Ｇ．７２６）を用いてもよいことが規定されている。図８の矢印Ａ１２に示すように、フルスロットのＢ−ｆｉｅｌｄには、３２０ｂｉｔの音声データが収容される。これにより、フルスロットでは、３２ｋｂｐｓの音声データによる通話が可能となる。
【００６２】
また、ＤＥＣＴ方式では、６４ｋｂｐｓの音声コーデック（Ｇ．７２２）を用いてもよいことが規定されている。図８の矢印Ａ１１に示すように、ロングスロットのＢ−ｆｉｅｌｄには、６４０ｂｉｔの音声データが収容される。これにより、ロングスロットでは、６４ｋｂｐｓの音声データによる通話が可能となる。
【００６３】
ハーフスロットのＢ−ｆｉｅｌｄには、図８の矢印Ａ１３に示すように、８０ｂｉｔの音声データが収容される。これにより、ハーフスロットでは、８ｋｂｐｓの音声データによる通話が可能となる。
【００６４】
しかし、音声データを８ｋｂｐｓまで圧縮すると、音声品質の劣化が激しくなる。そのため、ＤＥＣＴ方式のハーフスロットは、通信チャネル数が２４と多いにも関わらず、現状、使用されていない。
【００６５】
これに対し、市場からは、通信チャネル数を増加することが要望されている。例えば、現状、フルスロットを使用する狭帯域音声通話（３２ｋｂｐｓ）の通信チャネル数は、上記したように１２である。また、ロングスロットを使用する広帯域音声通話（６４ｋｂｐｓ）の通信チャネル数は、上記したように６である。市場からは、これらを超える通信チャネル数が要望されている。
【００６６】
そこで、本開示のコードレス電話システムでは、音声品質の劣化を抑制しつつ、狭帯域音声通話および広帯域音声通話の通信チャネル数を２４に増加する。
【００６７】
図９は、ＤＥＣＴ方式に準拠した本開示のコードレス電話システムのスロット構成を説明する図である。本開示のコードレス電話システムでは、通信チャネル数を増加するため、ハーフスロットのフレームを使用する。その際、音声品質の劣化を抑制するため、音声データに対し、ＱＰＳＫ変調による多値変調を行う。また、ハーフスロットの音声データの割り当て構成を変更する。ＱＰＳＫ変調による多値変調を行うことで、通信データのｂｉｔ数を増やすことができる。すなわち、音声データのｂｉｔレートを高めることができ、音声品質の劣化を抑制できる。なお、Ｂｉｔレートが低下すると音声データの圧縮率が高まり、符号化による量子化誤差が増え、音声品質が劣化する。
【００６８】
図９の矢印Ａ２１に示すハーフスロットは、現行のＤＥＣＴ方式のハーフスロットが示してある。図８の矢印Ａ１３でも説明したように、現行のＤＥＣＴ方式のハーフスロットのＢ−ｆｉｅｌｄには、８０ｂｉｔの音声データが収容される。なお、現行のＤＥＣＴ方式では、音声データに対し、２ＦＳＫ（Frequency shift keying）変調が行われ、２ＦＳＫ変調された音声データがＢ−ｆｉｅｌｄに収容される。
【００６９】
図９の矢印Ａ２２には、音声データにＱＰＳＫ変調を適用した場合のハーフスロットが示してある。音声データにＱＰＳＫ変調を適用することによって、ハーフスロットのＢ−ｆｉｅｌｄには、現行のＤＥＣＴ方式のＢ−ｆｉｅｌｄに対し、２倍の１６０ｂｉｔの音声データが収容される。つまり、音声データにＱＰＳＫ変調を適用することによって、Ｂ−ｆｉｅｌｄで送信される音声データは、図９の矢印Ａ２２に示すように、８０ｂｉｔから１６０ｂｉｔになる。
【００７０】
同様に、制御データにＱＰＳＫ変調を適用することによって、Ａ−ｆｉｅｌｄで送信される制御データは、図９の矢印Ａ２２に示すように、６４ｂｉｔから１２８ｂｉｔになる。また、誤り検出の情報にＱＰＳＫ変調を適用することによって、Ｘ−Ｆｉｅｌｄ，Ｚ−Ｆｉｅｌｄで送信される誤り検出の情報は、図９の矢印Ａ２２に示すように、４ｂｉｔから８ｂｉｔになる。
【００７１】
図９の矢印Ａ２３には、本開示のコードレス電話システムのハーフスロットの構成例が示してある。本開示のコードレス電話システムでは、矢印Ａ２３に示すように、Ａ−ｆｉｅｌｄの前半分の領域（６４ｂｉｔ）をＡ−ｆｉｅｌｄ（Ｏｒｉｇｉｎａｌ）とし、制御データを送信する領域とする。また、本開示のコードレス電話システムでは、矢印Ａ２３に示すように、Ａ−ｆｉｅｌｄの後半分の領域（６４ｂｉｔ）とＢ−ｆｉｅｌｅｄ（１６０ｂｉｔ）とをＢ−ｆｉｅｌｄ（Ｏｒｉｇｉｎａｌ）とし、音声データを送信する領域とする。
【００７２】
言い換えれば、本開示のコードレス電話システムでは、多値化した音声データの変調信号を、ハーフスロットのＢ−Ｆｉｅｌｄに収容するとともに、ハーフスロットのＡ−Ｆｉｅｌｄの一部にも収容する。また、本開示のコードレス電話システムでは、矢印Ａ２３に示すように、オプションであるＺの領域もＢ−ｆｉｅｌｄとして使用する。
【００７３】
つまり、本開示のコードレス電話システムでは、音声データ、制御データ、および誤り検出情報をＱＰＳＫ変調する。そして、図９の矢印Ａ２３に示すように、ハーフスロットの構成を変更する。これにより、音声データを収容するＢ−ｆｉｅｌｄ（Ｏｒｉｇｉｎａｌ）は、２３２ｂｉｔ（（Ａ−ｆｉｅｌｄの後半分の６４ｂｉｔ）＋（Ｂ−ｆｉｅｌｄの１６０ｂｉｔ）＋（Ｚの８ｂｉｔ）＝２３２ｂｉｔ）となり、通信チャネル数が２４で、かつ２３．２ｋｂｐｓの音声通信が可能になる。
【００７４】
なお、本開示のコードレス電話システムのハーフスロットは、図９の矢印Ａ２３に示すように、制御データを送信する領域として、６４ｂｉｔのＡ−ｆｉｅｌｄ（Ｏｒｉｇｉｎａｌ）を有している。従って、本開示のコードレス電話システムでは、ＤＥＣＴ方式を準拠できる。
【００７５】
音声データの変調として、１６ＱＡＭ（quadrature amplitude modulation）等の高多値化変調を用いることも考えられる。高多値化変調を用いると、通信できる音声データ量は増えるが、無線信号の受信感度が劣化し、無線の通信距離が短くなる。そのため、音声データの変調には、ＱＰＳＫ変調を用いるのが望ましい。もちろん、無線状況等によって、ＱＰＳＫ変調より大きい多値変調を用いてもよい。例えば８ＰＳＫ（8 Phase Shift Keying）を用いてもよい。
【００７６】
また、本開示のコードレス電話システムは、音声データのコーデックに、可変ｂｉｔ  ｒａｔｅに対応したＣＥＬＴを用いる。本開示のコードレス電話システムは、音声データの変調として、４値のＱＰＳＫ変調を適用し、無線信号の受信感度の劣化を抑制するとともに、ＣＥＬＴによる音声データの圧縮を、２３．２ｋｂｐｓまでの圧縮にとどめることができる。これにより、音声品質の劣化を抑制できる。また、１６ｋｂｐｓの圧縮でも音声劣化を許容できる音声帯域の音声データを扱う場合は、Ｂ−ｆｉｅｌｄ（１６０ｂｉｔ）を用いて通信しても良い。
【００７７】
図１０は、狭帯域音声通話における通信チャネル数の増加を説明する図である。図１０の矢印Ａ３１には、現行のＤＥＣＴ方式による狭帯域音声通話のアップリンクのフレーム構成が示してある。図１０の矢印Ａ３２には、ＤＥＣＴ方式に準拠した本開示の狭帯域音声通話のアップリンクのフレーム構成が示してある。
【００７８】
現行のＤＥＣＴ方式による狭帯域音声通話（８ｋＨｚサンプリング）の音声データは、図１０の矢印Ａ３１に示すように、フルスロットでベースユニットに送信される。現行のＤＥＣＴ方式では、狭帯域音声通話の音声データをフルスロットでベースユニットに送信するため、通信チャネル数は１２となる。
【００７９】
これに対し、本開示のコードレス電話機１は、マイク１５で集音された、８ｋＨｚサンプリングの音声データをＣＥＬＴで符号化（圧縮）する。そして、コードレス電話機１は、ＣＥＬＴで符号化した音声データをＱＰＳＫ変調し、図１０の矢印Ａ３２に示すように、ハーフスロットに収容する。コードレス電話機１は、ＣＥＬＴで８ｋＨｚサンプリングの音声データを符号化するとき、ハーフスロットのＢ−ｆｉｅｌｄ（Ｏｒｉｇｉｎａｌ）に収容する音声データが２３．２ｋｂｐｓとなるように符号化する。コードレス電話機１は、狭帯域音声通話の音声データをハーフスロットでベースユニット２に送信するため、通信チャネル数は２４となる。
【００８０】
上記では、アップリンクについて説明したが、ダウンリンクでも同様である。例えば、ベースユニット２は、インタフェース部３３から出力される８ｋＨｚサンプリングの音声データを、ＣＥＬＴで符号化（圧縮）する。そして、ベースユニット２は、ＣＥＬＴで符号化した音声データをＱＰＳＫ変調し、ハーフスロットに収容する。ベースユニット２は、ＣＥＬＴで８ｋＨｚサンプリングの音声データを符号化するとき、Ｂ−ｆｉｅｌｄ（Ｏｒｉｇｉｎａｌ）に収容する音声データが２３．２ｋｂｐｓとなるように符号化する。ベースユニット２は、狭帯域音声通話の音声データをハーフスロットでコードレス電話機１に送信するため、通信チャネル数は２４となる。
【００８１】
なお、コードレス電話機１のコーデック部２１が、マイク１５で集音された８ｋＨｚサンプリングの音声データをＣＥＬＴにより符号化する。変調部２２が、制御データと、ＣＥＬＴにより符号化された音声データとをＱＰＳＫ変調する。生成部２３が、ＱＰＳＫ変調された制御データの変調信号を、ハーフスロットの６４ｂｉｔのＡ−ｆｉｅｌｄ（Ｏｒｉｇｉｎａｌ）に収容し、ＱＰＳＫ変調された音声データの変調信号を、ハーフスロットの２３２ｂｉｔのＢ−ｆｉｅｌｄ（Ｏｒｉｇｉｎａｌ）に収容して、ハーフスロットを生成する。無線部１２が、生成されたハーフスロットをアップリンクのフレームに載せ、ベースユニット２に無線送信する。
【００８２】
また、ベースユニット２のコーデック部４１が、インタフェース部３３から出力される８ｋＨｚサンプリングの音声データをＣＥＬＴにより符号化する。変調部４２が、制御データと、ＣＥＬＴにより符号化された音声データとをＱＰＳＫ変調する。生成部４３が、ＱＰＳＫ変調された制御データの変調信号を、ハーフスロットの６４ｂｉｔのＡ−ｆｉｅｌｄ（Ｏｒｉｇｉｎａｌ）に収容し、ＱＰＳＫ変調された音声データの変調信号を、ハーフスロットの２３２ｂｉｔのＢ−ｆｉｅｌｄ（Ｏｒｉｇｉｎａｌ）に収容して、ハーフスロットを生成する。無線部３２が、生成されたハーフスロットをダウンリンクのフレームに載せ、コードレス電話機１に無線送信する。
【００８３】
図１１は、広帯域音声通話における通信チャネル数の増加を説明する図である。図１１の矢印Ａ４１には、現行のＤＥＣＴ方式による広帯域音声通話のアップリンクのフレーム構成が示してある。図１１の矢印Ａ４２には、ＤＥＣＴ方式に準拠した本開示の広帯域音声通話のアップリンクのフレーム構成が示してある。
【００８４】
現行のＤＥＣＴ方式による広帯域音声通話（１６ｋＨｚサンプリング）の音声データは、図１１の矢印Ａ４１に示すように、ロングスロットでベースユニットに送信される。現行のＤＥＣＴ方式では、広帯域音声通話の音声データをロングスロットでベースユニットに送信するため、通信チャネル数は６となる。
【００８５】
これに対し、本開示のコードレス電話機１は、マイク１５で集音された、１６ｋＨｚサンプリングの音声データをＣＥＬＴで符号化（圧縮）する。そして、コードレス電話機１は、ＣＥＬＴで符号化した音声データをＱＰＳＫ変調し、図１１の矢印Ａ４２に示すように、ハーフスロットに収容する。コードレス電話機１は、ＣＥＬＴで１６ｋＨｚサンプリングの音声データを符号化するとき、ハーフスロットのＢ−ｆｉｅｌｄ（Ｏｒｉｇｉｎａｌ）に収容する音声データが２３．２ｋｂｐｓとなるように符号化する。コードレス電話機１は、広帯域音声通話の音声データをハーフスロットでベースユニット２に送信するため、通信チャネル数は２４となる。
【００８６】
上記では、アップリンクについて説明したが、ダウンリンクでも同様である。例えば、ベースユニット２は、インタフェース部３３から出力される１６ｋＨｚサンプリングの音声データを、ＣＥＬＴで符号化（圧縮）する。そして、ベースユニット２は、ＣＥＬＴで符号化した音声データをＱＰＳＫ変調し、ハーフスロットに収容する。ベースユニット２は、ＣＥＬＴで１６ｋＨｚサンプリングの音声データを符号化するとき、Ｂ−ｆｉｅｌｄ（Ｏｒｉｇｉｎａｌ）に収容する音声データが２３．２ｋｂｐｓとなるように符号化する。ベースユニット２は、広帯域音声通話の音声データをハーフスロットでコードレス電話機１に送信するため、通信チャネル数は２４となる。
【００８７】
なお、コードレス電話機１のコーデック部２１が、マイク１５で集音された１６ｋＨｚサンプリングの音声データをＣＥＬＴにより符号化する。コーデック部２１は、狭帯域音声通話のときの圧縮率より高い圧縮率で、音声データを符号化する。このとき、コーデック部２１は、狭帯域音声通話より音声品質を高めるため、ＣＥＬＴの符号化処理のコンプレクシティ（ｃｏｍｐｌｅｘｉｔｙ）を大きくする（計算量を増やす）。例えば、コーデック部２１は、狭帯域音声通話のとき、第１のコンプレクシティの設定で符号化を行い、広帯域音声通話のとき、第１のコンプレクシティより大きい第２のコンプレクシティの設定で符号化を行う。変調部２２が、制御データと、ＣＥＬＴにより符号化された音声データとをＱＰＳＫ変調する。生成部２３が、ＱＰＳＫ変調された制御データの変調信号を、ハーフスロットの６４ｂｉｔのＡ−ｆｉｅｌｄ（Ｏｒｉｇｉｎａｌ）に収容し、ＱＰＳＫ変調された音声データの変調信号を、ハーフスロットの２３２ｂｉｔのＢ−ｆｉｅｌｄ（Ｏｒｉｇｉｎａｌ）に収容して、ハーフスロットを生成する。無線部１２が、生成されたハーフスロットをアップリンクのフレームに載せ、ベースユニット２に無線送信する。
【００８８】
また、ベースユニット２のコーデック部４１が、インタフェース部３３から出力される８ｋＨｚサンプリングの音声データをＣＥＬＴにより符号化する。コーデック部４１は、狭帯域音声通話のときの圧縮率より高い圧縮率で、音声データを符号化する。変調部４２が、制御データと、ＣＥＬＴにより符号化された音声データとをＱＰＳＫ変調する。生成部４３が、ＱＰＳＫ変調された制御データの変調信号を、ハーフスロットの６４ｂｉｔのＡ−ｆｉｅｌｄ（Ｏｒｉｇｉｎａｌ）に収容し、ＱＰＳＫ変調された音声データの変調信号を、ハーフスロットの２３２ｂｉｔのＢ−ｆｉｅｌｄ（Ｏｒｉｇｉｎａｌ）に収容して、ハーフスロットを生成する。無線部３２が、生成されたハーフスロットをダウンリンクのフレームに載せ、コードレス電話機１に無線送信する。
【００８９】
なお、狭帯域音声通話および広帯域音声通話は、コードレス電話機１およびベースユニット２の設定により切り替えることができる。
【００９０】
図１２は、現行のＤＥＣＴ方式におけるエラー検出を説明する図である。図１２の矢印Ａ５１には、フルスロットの一部の構成が示してある。図１２の矢印Ａ５２には、ロングスロットの一部の構成が示してある。
【００９１】
図１２の矢印Ａ５１および矢印Ａ５２に示すように、Ｂ−ｆｉｅｌｄのエラーは、Ｂ−ｆｉｅｌｄに続く４ｂｉｔのＸ−ＣＲＣで検出される。現行のＤＥＣＴ方式では、エラー訂正や再送処理はなく、エラーが検出された場合には、ミュート（Ｍｕｔｅ）、ハーフミュート（Ｈａｌｆ  Ｍｕｔｅ）、フィルタ（Ｆｉｌｔｅｒ）、およびＰＬＣ（Packet Loss Concealment）処理等によって、不快な異音が生じないように処理される。
【００９２】
４ｂｉｔのＸ−ＣＲＣは、Ｂ−ｆｉｅｌｄの全ｂｉｔを監視していない。４ｂｉｔのＸ−ＣＲＣは、図１２の矢印Ａ５１および矢印Ａ５２に示すように、連続した１６ｂｉｔの検査対象ｂｉｔ列（図１２の太枠部分）を監視している。１６ｂｉｔの検査対象ｂｉｔ列は、Ｂ−ｆｉｅｌｄ内に均等に配置されている。
【００９３】
ＣＥＬＴは、エラーが生じたときの音声の崩れが、現行のＤＥＣＴで使用されているＡＤＰＣＭ（Adaptive Differential Pulse Code Modulation）と振る舞いが異なることが分かった。例えば、ＣＥＬＴで圧縮された音声データ（ＣＥＬＴデータ）の前半部分にエラーが生じると、音声の崩れが激しいが、後半部分にエラーが生じても音声崩れが少ないことが分かった。そこで、本開示のコードレス電話システムは、ＣＥＬＴデータの前半の一部をＣＲＣエラーの検出対象とする。
【００９４】
図１３は、本開示のコードレス電話システムにおけるエラー検出を説明する図である。図１３に示すように、Ｂ−ｆｉｅｌｄ（Ｏｒｉｇｉｎａｌ）のＣＥＬＴデータのエラーは、Ｂ−ｆｉｅｌｄ（Ｏｒｉｇｉｎａｌ）に続くＣＲＣで検出される。
【００９５】
ＣＲＣは、Ｂ−ｆｉｅｌｄ（Ｏｒｉｇｉｎａｌ）の全ｂｉｔを監視していない。ＣＲＣは、Ｂ−ｆｉｅｌｄ（Ｏｒｉｇｉｎａｌ）の前半の一部を監視する。具体的には、ＣＲＣは、ＣＥＬＴデータの先頭を含む連続した一部のデータに対し、エラー検出の対象とする。なお、ＣＲＣは、例えば、ＣＥＬＴデータのＣＲＣ対象のｂｉｔ数を、ＣＲＣ計算関数に入力することにより算出できる。
【００９６】
本開示のコードレス電話システムでは、ＣＥＬＴデータに誤りがあると、ＰＬＣ処理を行う。また、ＣＥＬＴデータの誤りが連続して発生した場合、ＰＬＣ処理から、音声データのミュートに切り替える。なお、ＰＬＣ処理を連続して行うと、音声はロボットボイスとなる。そのため、ＣＥＬＴデータの誤りが連続して発生した場合、ＰＬＣ処理から音声データのミュートに切り替える。
【００９７】
図１４は、コードレス電話機１の音声処理の一例を示したフローチャートである。コードレス電話機１は、ＤＬフレームのＢ−ｆｉｅｌｄ（Ｏｒｉｇｉｎａｌ）のＣＥＬＴデータを受信するたびに図１４に示すフローチャートの処理を実行する。
【００９８】
コードレス電話機１は、ＤＬのＣＥＬＴデータに、ＣＲＣエラーが発生しているか否かを判定する（ステップＳ１）。
【００９９】
コードレス電話機１は、ＤＬのＣＥＬＴデータに、ＣＲＣエラーが発生していると判定した場合（Ｓ１の「ＹＥＳ」）、変数Ｎに１を加算する（ステップＳ２）。
【０１００】
コードレス電話機１は、変数Ｎに１を加算したあと、変数Ｎが閾値ＮＴＨ以下であるか否かを判定する（ステップＳ３）。
【０１０１】
コードレス電話機１は、変数Ｎが閾値ＮＴＨ以下であると判定した場合（Ｓ３の「ＹＥＳ」）、ＣＥＬＴデータに対し、ＰＬＣ処理を行う（ステップＳ４）。そして、コードレス電話機１は、当該フローチャートの処理を終了する。
【０１０２】
一方、コードレス電話機１は、変数Ｎが閾値ＮＴＨ以下でないと判定した場合（Ｓ３の「ＮＯ」）、音声ミュート処理を行う（ステップＳ５）。そして、コードレス電話機１は、当該フローチャートの処理を終了する。
【０１０３】
すなわち、コードレス電話機１は、ＣＲＣエラーの連続発生回数が、ＮＴＨ回を超えた場合に、音声ミュート処理を行う。
【０１０４】
コードレス電話機１は、ステップＳ１の処理において、ＤＬのＣＥＬＴデータに、ＣＲＣエラーが発生していないと判定した場合（Ｓ１の「ＮＯ」）、変数Ｎを０にする（ステップＳ６）。コードレス電話機１は、音声処理をせず（ステップＳ７）、当該フローチャートの処理を終了する。
【０１０５】
なお、コードレス電話機１の誤り検出部２５が、上記のエラー検出処理および音声処理を行う。また、上記では、コードレス電話機１の処理について説明したが、ベースユニット２においても同様である。ベースユニット２の誤り検出部４５が、上記のエラー検出処理および音声処理を行う。
【０１０６】
図１５は、コードレス電話機１の音声処理の他の例を示したフローチャートである。図１５において、図１４と同じ処理には、同じステップの符号が付してある。以下では、図１４と異なる処理について説明する。
【０１０７】
図１４の処理では、ＣＲＣエラーが発生しない場合、変数Ｎを０にした（図１４のステップＳ６を参照）。これに対し、図１５の処理では、ＣＲＣエラーが発生しない場合、変数Ｎを１ずつ減算する。すなわち、図１５の処理では、ＣＲＣエラーが連続して発生した後、ＣＲＣエラーが発生しなくなっても、変数Ｎを直ちに０にせず、徐々に０に近づける。これにより、コードレス電話機１は、再びＣＲＣエラーが発生した場合に、ミュート処理に移行しやすくする。
【０１０８】
コードレス電話機１は、ステップＳ１の処理において、ＤＬのＣＥＬＴデータに、ＣＲＣエラーが発生していないと判定した場合（Ｓ１の「ＮＯ」）、変数Ｎが１より大きいか否かを判定する（ステップＳ１１）。
【０１０９】
コードレス電話機１は、変数Ｎが１より大きいと判定した場合（Ｓ１１の「ＹＥＳ」）、変数Ｎから１を減算する（ステップＳ１２）。
【０１１０】
一方、コードレス電話機１は、変数Ｎが１より大きくないと判定した場合（Ｓ１１の「ＮＯ」）、変数Ｎを０にする（ステップＳ１３）。
【０１１１】
なお、コードレス電話機１の誤り検出部２５が、上記のエラー検出処理および音声処理を行う。また、上記では、コードレス電話機１の処理について説明したが、ベースユニット２においても同様である。ベースユニット２の誤り検出部４５が、上記のエラー検出処理および音声処理を行う。
【０１１２】
以上説明したように、ベースユニット２を介して通話先の電話機と通話を行うコードレス電話機１は、制御部１１と無線部１２とを備える。制御部１１は、無線通信を制御する制御データおよび電話機に送信する音声データをＱＰＳＫ変調し、ＱＰＳＫ変調した制御データの多値変調制御信号および音声データの多値変調音声信号をＤＥＣＴ方式のハーフスロットに収容する。制御部１１は、多値変調制御信号をハーフスロットのＡ−ｆｉｅｌｄの一部に収容し、多値変調音声信号をハーフスロットのＢ−ｆｉｅｌｄに収容するとともにＡ−ｆｉｅｌｄの残りの部分に収容する。無線部１２は、生成されたハーフスロットをベースユニット２に無線送信する。これにより、コードレス電話機１は、音声品質の劣化を抑制しつつ、通信チャネル数を増加できる。
【０１１３】
また、コードレス電話機１と無線通信を行うベースユニット２は、制御部３１と無線部３２とを備える。制御部３１は、無線通信を制御する制御データおよびコードレス電話機１に送信する音声データをＱＰＳＫ変調し、ＱＰＳＫ変調した制御データの多値変調制御信号および音声データの多値変調音声信号をＤＥＣＴ方式のハーフスロットに収容する。制御部３１は、多値変調制御信号をハーフスロットのＡ−ｆｉｅｌｄの一部に収容し、多値変調音声信号をハーフスロットのＢ−ｆｉｅｌｄに収容するとともにＡ−ｆｉｅｌｄの残りの部分に収容する。無線部３２は、生成されたハーフスロットをコードレス電話機１に無線送信する。これにより、コードレス電話機１は、音声品質の劣化を抑制しつつ、通信チャネル数を増加できる。
【０１１４】
なお、コードレス電話機１の制御部１１は、図９の矢印Ａ２３のハーフスロットで説明したように、Ａ−ｆｉｅｌｄの後半分の６４ｂｉｔに変調された音声データを収容したが、これに限られない。例えば、制御部１１は、図９の矢印Ａ２２のハーフスロットに示すように、１６０ｂｉｔのＢ−ｆｉｅｌｄのみに音声データを収容してもよい。そして、１２８ｂｉｔのＡ−ｆｉｅｌｄに制御データを収容してもよい。この場合、制御部１１は、変調された音声データが１６０ｋｂｐｓとなるようにＣＥＬＴによって符号化する。ベースユニット２の制御部３１も同様に、図９の矢印Ａ２２のハーフスロットに示すように、１６０ｂｉｔのＢ−ｆｉｅｌｄのみに音声データを収容してもよい。
【０１１５】
また、上記では、図９の矢印Ａ２３のハーフスロットで説明したように、Ｚの領域をＢ−ｆｉｅｌｄとして使用したが、これに限られない。例えば、図９の矢印Ａ２３のハーフスロットは、Ｘ−Ｆｉｅｌｄ，Ｚ−Ｆｉｅｌｄの領域を有してもよい。この場合、図９の矢印Ａ２３のハーフスロットに示すＢ−ｆｉｅｌｄは、２２４ｂｉｔとなる。
【０１１６】
また、図９の矢印Ａ２３のハーフスロットが、例えば、Ｘ−Ｆｉｅｌｄ，Ｚ−Ｆｉｅｌｄの領域を有する場合、Ｘ−Ｆｉｅｌｄ，Ｚ−Ｆｉｅｌｄのそれぞれのビット数を、４ｂｉｔとしてもよい。この場合も、Ｂ−ｆｉｅｌｄは、２３２ｂｉｔとなる。
【０１１７】
また、図９の矢印Ａ２３のハーフスロットのＸ−Ｆｉｅｌｄのビット数を４ｂｉｔとしてもよい。この場合、Ｂ−ｆｉｅｌｄは、２３６ｂｉｔとなる。
【０１１８】
また、本開示のコードレス電話システムでは、広帯域音声通話および狭帯域音声通話の通信チャネル数は２４（最大同時通話数を２４）であるが、例えば、広帯域音声通話の場合の同時通話数を８とし、狭帯域音声通話の場合の同時通話数を１６としてもよい。これにより、広帯域音声通話および狭帯域音声通話におけるチップの処理量を抑制できる。
【０１１９】
また、ＣＥＬＴでは、処理のコンプレクシティを増やすことにより、音声品質を向上させることができるが、狭帯域音声通話の同時通話数を、広帯域音声通話の同時通話数より多くした場合、狭帯域音声通話のコンプレクシティを、広帯域音声通話のコンプレクシティより小さくしてもよい。狭帯域音声通話の同時通話数を、広帯域音声通話の同時通話数より多くした場合、狭帯域音声通話でのチップの処理量が多くなるが、狭帯域音声通話のコンプレクシティを小さくすることにより、チップの処理量を抑制できる。
【０１２０】
また、コードレス電話機１は、旧型のベースユニット（現行のベースユニット）と同じ登録方法によって、ベースユニット２に登録されるようにしてもよい。そして、コードレス電話機１は、ファームウェアのアップデート方法を、旧型のコードレス電話機と同じにしてもよい。これにより、コードレス電話機１は、旧型のベースユニットにも登録できる。また、コードレス電話機１は、ファームウェアのアップデートを利用してソフトウェアを書き換え、ハーフスロット対応から、フルスロットおよびロングスロット対応の機能（現行のＤＥＣＴ対応の機能）に変更できる。
【０１２１】
また、上記では、音声データのコーデックとしてＣＥＬＴを用いるとしたがこれに限られない。他のコーデック方式を用いて、音声データをコーデックしてもよい。他のコーデックはＤＥＣＴ標準のＡＤＰＣＭよりも高圧縮のコーデックとして、ＡＭＲ（Adaptive Multi-Rate）、ＡＭＲ−ＷＢ（Adaptive Multi-Rate Wideband）、ＬＣ３（Low Complexity Communication Codec）、ＯＰＵＳ、ＥＶＳ（Enhanced Voice Services）などがある。
【０１２２】
また、上記では、コードレス電話機１は、制御データおよび音声データをＱＰＳＫ変調し、図９の矢印Ａ２３に示したハーフスロットに収容したが、これに限られない。コードレス電話機１は、制御データおよび音声データを２値変調（例えば、２ＦＳＫ変調）し、図８の矢印Ａ１３に示したハーフスロットに収容してもよい。これによって、コードレス電話機１は、通信チャネル数を増加できる。この場合、コードレス電話機１は、ＣＥＬＴによって、音声データを符号化し、２値変調してもよい。これにより、コードレス電話機１は、音声品質の劣化を抑制できる。ベースユニット２についても同様である。また同様に、制御データおよび音声データを８値変調（例えば８ＰＳＫ変調）してもよい。
【０１２３】
（実施の形態２）
実施の形態２では、中継器を備えるコードレス電話システムについて説明する。以下では、実施の形態１と異なる部分について説明する。
【０１２４】
図１６は、本開示の実施の形態２に係るコードレス電話システムの構成例を示した図である。図１６において、図１と同じものには同じ符号が付してある。コードレス電話システムは、中継器５１を有している。コードレス電話機１およびベースユニット２は、中継器５１を介して無線通信を行う。
【０１２５】
図１６には、１台のコードレス電話機１しか示していないが、複数存在してもよい。複数のコードレス電話機１は、同時通話が可能である。例えば、図１６に示すコードレス電話システムは、以下で詳述するが、狭帯域音声通話の場合および広帯域音声通話の場合ともに、最大で１２台の同時通話が可能である。言い換えれば、図１６に示すコードレス電話システムの通信チャネル数は、狭帯域音声通話の場合および広帯域音声通話の場合ともに、１２チャネルである。
【０１２６】
図１７は、中継器５１のブロック構成例を示した図である。図１７に示すように、中継器５１は、制御部６１と、無線部６２と、を有している。
【０１２７】
制御部６１は、中継器５１全体を制御する。また、制御部６１は、ベースバンド処理を行う。制御部６１は、例えば、ＣＰＵおよびＤＳＰのいずれか一方または両方で構成されてもよい。制御部６１は、メインプロセッサ・ベースバンド部と呼ばれてもよい。
【０１２８】
無線部６２は、アンテナを介して、コードレス電話機１から送信されたＵＬ信号を受信する。無線部６２は、受信したＵＬ信号に対して、増幅およびダウンコンバート等の受信処理を行う。無線部６２は、受信処理したＵＬ信号を制御部６１に出力する。
【０１２９】
無線部６２には、制御部６１から出力されるＵＬ信号（ベースユニット２に送信する信号）が入力される。無線部６２は、入力されたＵＬ信号に対して、増幅およびアップコンバート等の送信処理を行う。無線部６２は、送信処理したＵＬ信号を、アンテナを介して、ベースユニット２に送信する。
【０１３０】
無線部６２は、アンテナを介して、ベースユニット２から送信されたＤＬ信号を受信する。無線部６２は、受信したＤＬ信号に対して、増幅およびダウンコンバート等の受信処理を行う。無線部６２は、受信処理したＤＬ信号を制御部６１に出力する。
【０１３１】
無線部６２には、制御部６１から出力されるＤＬ信号（コードレス電話機１に送信する信号）が入力される。無線部６２は、入力されたＤＬ信号に対して、増幅およびアップコンバート等の送信処理を行う。無線部６２は、送信処理したＤＬ信号を、アンテナを介して、コードレス電話機１に送信する。
【０１３２】
図１８は、中継器５１の制御部６１のブロック構成例を示した図である。図１８に示すように、中継器５１の制御部６１は、複製部７１と、記憶部７２と、を有している。
【０１３３】
複製部７１は、コードレス電話機１から受信したアップリンクのハーフスロットに収容されているデータを、アップリンクの次のハーフスロットに複製する。複製部７１は、データを複製した次のハーフスロットを無線部６２に出力する。
【０１３４】
また、複製部７１は、ベースユニット２から受信したダウンリンクのハーフスロットに収容されているデータを、ダウンリンクの次のハーフスロットに複製する。複製部７１は、データを複製した次のハーフスロットを無線部６２に出力する。
【０１３５】
記憶部７２には、例えば、制御部６１が動作するためのプログラムが記憶される。また、記憶部７２には、制御部６１が計算処理を行うためのデータまたは中継器５１の各部を制御するためのデータが記憶される。記憶部７２は、制御部６１の外にあってもよい。
【０１３６】
図１９は、狭帯域音声通話における通信チャネル数の増加を説明する図である。図１９の矢印Ａ６１には、現行のＤＥＣＴ方式による狭帯域音声通話のダウンリンクのフレーム構成が示してある。図１９の矢印Ａ６２には、ＤＥＣＴ方式に準拠した本開示の狭帯域音声通話のダウンリンクのフレーム構成が示してある。
【０１３７】
現行のＤＥＣＴ方式による狭帯域音声通話（８ｋＨｚサンプリング）の音声データは、図１９の矢印Ａ６１に示すように、フルスロットで、中継器を介し、ベースユニットからコードレス電話機に送信される。コードレス電話とベースユニットとの間に中継器が介在する場合、ベースユニットは、図１９の矢印Ａ６１に示すように、１スロット空けながら、音声データを中継器に送信する。
【０１３８】
中継器は、ベースユニットから受信した音声データを次のスロットに複製してコードレス電話機に送信する。例えば、中継器は、スロット０で受信した音声データを、スロット１に複製し、コードレス電話機に送信する。現行のＤＥＣＴ方式では、狭帯域音声通話の音声データをフルスロットで通信するため、通信チャネル数は６となる。
【０１３９】
これに対し、ＤＥＣＴ方式に準拠した本開示の狭帯域音声通話（８ｋＨｚサンプリング）の音声データは、図１９の矢印Ａ６２に示すように、ハーフスロットで、ベースユニット２からコードレス電話機１に送信される。ベースユニット２とコードレス電話機１との間に中継器５１が介在する場合、ベースユニット２は、図１９の矢印Ａ６２に示すように、１スロット空けながら、音声データを中継器５１に送信する。
【０１４０】
中継器５１は、ベースユニット２から受信した音声データを次のハーフスロットに複製してコードレス電話機１に送信する。例えば、中継器５１は、Ｌ＝０のハーフスロットで受信した音声データを、次の（隣の）Ｌ＝１のハーフスロットに複製し、コードレス電話機１に送信する。ＤＥＣＴ方式に準拠した本開示のコードレス電話システムでは、狭帯域音声通話の音声データをハーフスロットで通信するため、通信チャネル数は１２となる。
【０１４１】
上記では、ダウンリンクについて説明したが、アップリンクでも同様である。例えば、中継器５１は、コードレス電話機１から送信された音声データを受信する。中継器５１は、受信した音声データを次のハーフスロットに収容し、ベースユニット２に送信する。
【０１４２】
なお、複製部７１が、ベースユニット２から送信された制御データおよび音声データを次のハーフスロットに複製する。例えば、ベースユニット２から送信される制御データは、ハーフスロットのＬ＝０のＡ−ｆｉｅｌｄ（Ｏｒｉｇｉｎａｌ）に収容され、音声データは、ハーフスロットのＬ＝０のＢ−ｆｉｅｌｄ（Ｏｒｉｇｉｎａｌ）に収容されている。複製部７１は、この制御データおよび音声データを、次のハーフスロットのＬ＝１のＡ−ｆｉｅｌｄ（Ｏｒｉｇｉｎａｌ）およびハーフスロットのＬ＝１のＢ−ｆｉｅｌｄ（Ｏｒｉｇｉｎａｌ）に収容（複製）する。無線部６２が、データが収容されたＬ＝１のハーフスロットをダウンリンクのフレームに載せ、コードレス電話機１に無線装置する。
【０１４３】
また、複製部７１が、コードレス電話機１から送信された制御データおよび音声データを次のハーフスロットに複製する。例えば、コードレス電話機１から送信される制御データは、ハーフスロットのＬ＝０のＡ−ｆｉｅｌｄ（Ｏｒｉｇｉｎａｌ）に収容され、音声データは、ハーフスロットのＬ＝０のＢ−ｆｉｅｌｄ（Ｏｒｉｇｉｎａｌ）に収容されている。複製部７１は、この制御データおよび音声データを、次のハーフスロットのＬ＝１のＡ−ｆｉｅｌｄ（Ｏｒｉｇｉｎａｌ）およびハーフスロットのＬ＝１のＢ−ｆｉｅｌｄ（Ｏｒｉｇｉｎａｌ）に収容（複製）する。無線部６２が、データが収容されたＬ＝１のハーフスロットをアップリンクのフレームに載せ、ベースユニット２に無線送信する。
【０１４４】
また、上記では、中継器５１は、Ｌ＝０のハーフスロットで受信した音声データを、次の（隣の）Ｌ＝１のハーフスロットに複製し、コードレス電話機１に送信するとしたがこれに限られない。例えば、中継器５１は、Ｌ＝０のハーフスロットで受信した音声データを、その後のいずれかのハーフスロットを用いて、コードレス電話機１に送信してもよい。
【０１４５】
図２０は、広帯域音声通話における通信チャネル数の増加を説明する図である。図２０の矢印Ａ７１には、現行のＤＥＣＴ方式による広帯域音声通話のダウンリンクのフレーム構成が示してある。図２０の矢印Ａ７２には、ＤＥＣＴ方式に準拠した本開示の広帯域音声通話のダウンリンクのフレーム構成が示してある。
【０１４６】
現行のＤＥＣＴ方式による狭帯域音声通話（１６ｋＨｚサンプリング）の音声データは、図２０の矢印Ａ７１に示すように、ロングスロットで、中継器を介し、ベースユニットからコードレス電話機に送信される。コードレス電話とベースユニットとの間に中継器が介在する場合、ベースユニットは、図２０の矢印Ａ７１に示すように、１スロット空けながら、音声データを中継器に送信する。
【０１４７】
中継器は、ベースユニットから受信した音声データを次のスロットに複製してコードレス電話機に送信する。例えば、中継器は、スロット０で受信した音声データを、スロット１に収容し、コードレス電話機に送信する。現行のＤＥＣＴ方式では、広帯域音声通話の音声データをロングスロットで通信するため、通信チャネル数は３となる。
【０１４８】
これに対し、ＤＥＣＴ方式に準拠した本開示の広帯域音声通話（１６ｋＨｚサンプリング）の音声データは、図２０の矢印Ａ７２に示すように、ハーフスロットで、ベースユニット２からコードレス電話機１に送信される。ベースユニット２とコードレス電話機１との間に中継器５１が介在する場合、ベースユニット２は、図２０の矢印Ａ７２に示すように、１スロット空けながら、音声データを中継器５１に送信する。
【０１４９】
中継器５１は、ベースユニット２から受信した音声データを次のハーフスロットに複製してコードレス電話機１に送信する。例えば、中継器５１は、Ｌ＝０のハーフスロットで受信した音声データを、次の（隣の）Ｌ＝１のハーフスロットに複製し、コードレス電話機１に送信する。ＤＥＣＴ方式に準拠した本開示のコードレス電話システムでは、広帯域音声通話の音声データをハーフスロットで通信するため、通信チャネル数は１２となる。
【０１５０】
上記では、ダウンリンクについて説明したが、アップリンクでも同様である。例えば、中継器５１は、コードレス電話機１から送信された音声データを受信する。中継器５１は、受信した音声データを次のハーフスロットに収容し、ベースユニット２に送信する。
【０１５１】
なお、複製部７１が、ベースユニット２から送信された制御データおよび音声データを次のハーフスロットに複製する。例えば、ベースユニット２から送信される制御データは、ハーフスロットのＬ＝０のＡ−ｆｉｅｌｄ（Ｏｒｉｇｉｎａｌ）に収容され、音声データは、ハーフスロットのＬ＝０のＢ−ｆｉｅｌｄ（Ｏｒｉｇｉｎａｌ）に収容されている。複製部７１は、この制御データおよび音声データを、次のハーフスロットのＬ＝１のＡ−ｆｉｅｌｄ（Ｏｒｉｇｉｎａｌ）およびハーフスロットのＬ＝１のＢ−ｆｉｅｌｄ（Ｏｒｉｇｉｎａｌ）に収容（複製）する。無線部６２が、データが収容されたＬ＝１のハーフスロットをダウンリンクのフレームに載せ、コードレス電話機１に無線装置する。
【０１５２】
また、複製部７１が、コードレス電話機１から送信された制御データおよび音声データを次のハーフスロットに複製する。例えば、コードレス電話機１から送信される制御データは、ハーフスロットのＬ＝０のＡ−ｆｉｅｌｄ（Ｏｒｉｇｉｎａｌ）に収容され、音声データは、ハーフスロットのＬ＝０のＢ−ｆｉｅｌｄ（Ｏｒｉｇｉｎａｌ）に収容されている。複製部７１は、この制御データおよび音声データを、次のハーフスロットのＬ＝１のＡ−ｆｉｅｌｄ（Ｏｒｉｇｉｎａｌ）およびハーフスロットのＬ＝１のＢ−ｆｉｅｌｄ（Ｏｒｉｇｉｎａｌ）に収容（複製）する。無線部６２が、データが収容されたＬ＝１のハーフスロットをアップリンクのフレームに載せ、ベースユニット２に無線送信する。
【０１５３】
また、上記では、中継器５１は、Ｌ＝０のハーフスロットで受信した音声データを、次の（隣の）Ｌ＝１のハーフスロットに複製し、コードレス電話機１に送信するとしたがこれに限られない。例えば、中継器５１は、Ｌ＝０のハーフスロットで受信した音声データを、その後のいずれかのハーフスロットを用いて、コードレス電話機１に送信してもよい。
【０１５４】
以上説明したように、ＤＥＣＴ方式のハーフスロットを用いてコードレス電話機１とベースユニット２との間の無線通信を中継する中継器５１は、制御部６１と無線部６２とを有する。制御部６１は、コードレス電話機１から受信したアップリンクのハーフスロットに収容されている制御データおよび音声データを、アップリンクの次のハーフスロットに複製し、ベースユニット２から受信したダウンリンクのハーフスロットに収容されている制御データおよび音声データを、ダウンリンクの次のハーフスロットに複製する。制御部６１は、コードレス電話機１の制御データをアップリンクの次のハーフスロットのＡ−ｆｉｅｌｄの一部に収容し、コードレス電話機１の音声データをアップリンクの次のハーフスロットのＢ−ｆｉｅｌｄに収容するとともにＡ−ｆｉｅｌｄの残りの部分に収容する。また、制御部６１は、ベースユニット２の制御データをダウンリンクの次のハーフスロットのＡ−ｆｉｅｌｄの一部に収容し、ベースユニット２の音声データをダウンリンクの次のハーフスロットのＢ−ｆｉｅｌｄに収容するとともにＡ−ｆｉｅｌｄの残りの部分に収容する。無線部６２は、アップリンクの次のハーフスロットをベースユニット２に無線送信し、ダウンリンクの次のハーフスロットをコードレス電話機１に無線送信する。これにより、中継器５１は、音声品質の劣化を抑制しつつ、通信チャネル数を増加できる。
【０１５５】
上記の実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１５６】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）、又は、ＬＳＩ内部の回路セルの接続や設定を再構成可能なリコンフィギュラブル・プロセッサーを利用してもよい。
【０１５７】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【産業上の利用可能性】
【０１５８】
本開示は、オフィスや住宅に設置されるコードレス電話システムに有用である。
【符号の説明】
【０１５９】
１  コードレス電話機
２  ベースユニット
１１，３１，６１  制御部
１２，３２，６２  無線部
１３  オーディオ部
１４  スピーカ
１５  マイク
２１，４１  コーデック部
２２，４２  変調部
２３，４３  生成部
２４，４４  復調部
２５，４５  誤り検出部
２６，４６，７２  記憶部
３３  インタフェース部
５１  中継器
７１  複製部
【図１】
2019216359.tif 000003
【図２Ａ】
2019216359.tif 000004
【図２Ｂ】
2019216359.tif 000005
【図３】
2019216359.tif 000006
【図４】
2019216359.tif 000007
【図５】
2019216359.tif 000008
【図６】
2019216359.tif 000009
【図７】
2019216359.tif 000010
【図８】
2019216359.tif 000011
【図９】
2019216359.tif 000012
【図１０】
2019216359.tif 000013
【図１１】
2019216359.tif 000014
【図１２】
2019216359.tif 000015
【図１３】
2019216359.tif 000016
【図１４】
2019216359.tif 000017
【図１５】
2019216359.tif 000018
【図１６】
2019216359.tif 000019
【図１７】
2019216359.tif 000020
【図１８】
2019216359.tif 000021
【図１９】
2019216359.tif 000022
【図２０】
2019216359.tif 000023